(57)【要約】【課題】釣り用リールにおいて、工具を用いることなくハンドルアームの長さを容易に変更できるようにする。【解決手段】両軸受リール１００は、ハンドル組立体２と、ハンドル軸６と、ハンドル長さ調整機構８と、を備える。ハンドル組立体２のハンドルアーム２６は、第１端２６ａから第２端２６ｂに向かって長手方向に延び、第１端側に長孔２６ｃを有する。ハンドル軸６は、長孔２６ｃに一体回転可能に係合し、長孔２６ｃの長手方向へのハンドルアーム２６の移動を許容する係合部３０を有する。ハンドル長さ調整機構８は、装着部４０と、レバー部材４２と、を有する。装着部４０は、係合部３０に設けられる。レバー部材４２は、ハンドルアーム２６をハンドル軸６に固定する固定姿勢と、固定姿勢から揺動してハンドル軸６への固定を解除する解除姿勢とに揺動可能に装着部４０に設けられる。【選択図】図３
2014050327.tif 000002
【特許請求の範囲】
【請求項１】
釣り用リールであって、
リール本体と、
一端から他端に向かう長手方向に沿って延び、前記一端側に長孔を有するハンドルアームと、前記ハンドルアームの前記他端側に回転自在に装着されるハンドル把手と、を有するハンドル組立体と、
前記リール本体に移動可能に設けられ、前記ハンドル組立体の回転操作によって駆動されるスプールと、
前記リール本体に対して回転可能であり、前記長孔に一体回転可能に係合し、前記長孔の長手方向への前記ハンドルアームの移動を許容する係合部を先端部に有するハンドル軸と、
前記係合部に設けられる装着部と、前記ハンドルアームを前記ハンドル軸に固定する固定姿勢と、前記固定姿勢から揺動して前記ハンドル軸への固定を解除する解除姿勢とに前記装着部に揺動可能に装着されるレバー部材と、を有し、前記ハンドルアームを前記ハンドル軸に固定及び固定解除可能なハンドル長さ調整機構と、
を備える釣り用リール。
【請求項２】
前記ハンドルアームは、前記レバー部材に対向する外側面と、前記外側面と反対側の内側面と、を有し、
前記ハンドル軸には、前記内側面に接触可能な接触部が設けられる、釣り用リール。
【請求項３】
前記接触部は、前記ハンドル軸に設けられ、前記係合部よりも径方向外方に突出する突出面を有する、請求項２に記載の釣り用リール。
【請求項４】
前記ハンドル軸は、前記係合部を有する軸本体を有し、
前記接触部は、前記ハンドル軸の基端側への移動が規制されて前記軸本体に装着される環状部材である、請求項２に記載の釣り用リール。
【請求項５】
前記レバー部材は、前記固定姿勢にあるとき、前記ハンドルアームの前記外側面を前記接触部に向けて押圧し、前記解除姿勢にあるとき、押圧を解除する、請求項２から４のいずれか１項に記載の釣り用リール。
【請求項６】
前記係合部は、前記長孔に係合する互いに平行な一対の直線部と、前記一対の直線部の端部同士を連結する一対の連結部と、を有する非円形断面に形成される、請求項２から５のいずれか１項に記載の釣り用リール。
【請求項７】
前記レバー部材は、前記ハンドル軸と交差する方向の軸回りに前記装着部に揺動自在に装着され、前記固定姿勢のときに、前記解除姿勢よりも前記ハンドルアームに近づくカム面を有する、請求項２から６のいずれか１項に記載の釣り用リール。
【請求項８】
前記カム面は、前記レバー部材の揺動軸芯に対して偏芯する位置を中心とする円弧面によって構成される、請求項７に記載の釣り用リール。
【請求項９】
前記ハンドル長さ調整機構は、前記カム面と前記ハンドルアームの前記長孔の周囲の外側面との間に配置される弾性部材を有する、請求項７又は８に記載の釣り用リール。
【請求項１０】
前記装着部は、
前記係合部の先端に一体形成される軸支持部と、
前記ハンドル軸の軸方向と交差する方向に沿って前記軸支持部に装着される揺動軸と、を有する、請求項２から９のいずれか１項に記載の釣り用リール
【請求項１１】
前記装着部は、
前記係合部の先端面に螺合可能なネジ部を有する軸支持部と、
前記ハンドル軸の軸方向と交差する方向に沿って前記軸支持部に装着される揺動軸と、を有する、請求項２から９のいずれか１項に記載の釣り用リール。
【請求項１２】
前記装着部は、
前記係合部の先端面に螺合可能なネジ部を有する軸支持部と、
前記ハンドル軸の軸方向と交差する方向に沿って前記軸支持部に装着される揺動軸と、
前記軸支持部を前記ネジ部の軸方向に相対移動可能に覆いかつ前記揺動軸を回動自在に連結し、前記ハンドルアームの外側面に接触可能なケース部材と、を有し、
前記揺動軸は、前記ケース部材に連結する部分と偏芯したカム面を有し、
前記軸支持部は、前記カム面に係合するカム受け孔を有し、
前記レバー部材は、前記揺動軸に一体回動可能に連結される、請求項２に記載の釣り用リール。
【請求項１３】
前記ハンドル軸が前記リール本体に回転自在に支持され、前記スプールが前記リール本体に回転自在に支持される両軸受リールである、請求項１から１２いずれか１項に記載の釣り用リール。
【請求項１４】
前記スプールが前記リール本体に前後移動自在に支持され、前記ハンドル軸が前記リール本体に回転自在に支持される駆動ギア軸に一体回転可能に連結されるスピニングリールである、請求項１から１２のいずれか１項に記載の釣り用リール。
【発明の詳細な説明】
【技術分野】
【０００１】
本発明は、リール、特に、ハンドル組立体を有する釣り用リールに関する。
【背景技術】
【０００２】
釣り用リールには、釣り糸を巻き取るためのハンドル組立体が設けられている。ハンドル組立体は、ハンドルアームと、ハンドアームの先端に設けられるハンドル把手と、を有している。ハンドルアームは、ハンドル軸に一体回転可能連結されている。従来のハンドルアームは、ネジ部材によりハンドルアームの先端に固定されている。このような、ハンドル組立体において、ハンドルアームの長さを複数段階に変更可能なものが従来知られている（例えば、特許文献１参照）。従来の釣り用リールのハンドル組立体は、ハンドルアームの長手方向にハンドル軸が係合する複数の係合孔が設けられている。いずれかの係合孔にハンドル軸を係合させることによってハンドル長さを複数の位置のいずれかに段階的に変更できる。
【先行技術文献】
【特許文献】
【０００３】
【特許文献１】特開２０００−４８７７３号公報
【発明の概要】
【発明が解決しようとする課題】
【０００４】
従来の釣り用リールでは、ハンドルアームの長さを段階的に変更できる。しかし、ハンドルアームの長さを変更する場合、工具を用いてナットを外し、ハンドルアームをハンドル軸から取り外して、ハンドル長さを変更した後に工具を用いてナットを締めてハンドルアームをハンドル軸に取り付ける必要がある。このため、ハンドルアームの長さの変更を容易に行えない。
【０００５】
本発明の課題は、釣り用リールにおいて、工具を用いることなくハンドルアームの長さを容易に変更できるようにすることにある。
【課題を解決するための手段】
【０００６】
発明１に係る釣り用リールは、リール本体と、スプールと、ハンドル組立体と、ハンドル軸と、ハンドル長さ調整機構と、を備えている。スプールは、リール本体に移動可能に設けられる。ハンドル組立体は、ハンドルアームと、ハンドル把手と、を有する。ハンドルアームは、一端から他端に向かって長手方向に延び、一端側に長孔を有する。ハンドル把手は、ハンドルアームの他端側に回転自在に装着される。ハンドル軸は、リール本体に対して回転可能であり、長孔に一体回転可能に係合し、長孔の長手方向へのハンドルアームの移動を許容する係合部を先端部に有する。ハンドル長さ調整機構は、ハンドルアームをハンドル軸に固定及び固定解除可能である。ハンドル長さ調整機構は、装着部と、レバー部材と、を有する。装着部は、係合部に設けられる。レバー部材は、ハンドルアームをハンドル軸に固定する固定姿勢と、固定姿勢から揺動してハンドル軸への固定を解除する解除姿勢とに揺動可能に装着部に設けられる。
【０００７】
この釣り用リールでは、ハンドルアームに設けられる長孔にハンドル軸の係合部が一体回転可能に係合する。係合部は長孔の長手方向に移動可能である。この係合部に設けられるハンドル長さ調整機構によって、ハンドルアームをハンドル軸に固定及び固定解除できる。ここでは、レバー部材を解除姿勢にすることによってハンドルアームを長孔の長手方向にハンドル軸に対して移動させることができ、移動した位置でレバー部材を固定姿勢にすることによってハンドルアームをハンドル軸に固定できる。このため、釣り用リールにおいて、工具を用いることなくハンドルアームの長さを容易に変更できるようになる。しかも、長孔内の任意の位置でハンドルアームを固定できるので、ハンドルアームの長さを段階的ではなく連続的に変更できる。
【０００８】
発明２に係る釣り用リーは、発明１に記載の釣り用リールにおいて、ハンドルアームは、レバー部材に対向する外側面と、外側面と反対側の内側面と、を有する。ハンドル軸には、内側面に接触可能な接触部が設けられる。この場合には、ハンドルアームの内側面が接触部に接触及び離反することによって、ハンドルアームをハンドル軸に固定及び固定解除できる。
【０００９】
発明３に係る釣り用リールは、発明２に記載の釣り用リールにおいて、接触部は、ハンドル軸に一体で設けられ、係合部よりも径方向外方に突出する突出面を有する。この場合には、ハンドル軸に一体で設けられた突出面によって、ハンドルアームのハンドル軸の基端側への移動を規制できるので、釣り用リールの構成が簡素になる。
【００１０】
発明４に係る釣り用リールは、発明２に記載の釣り用リールにおいて、ハンドル軸は、係合部を有する軸本体を有する。接触部は、軸本体に軸方向移動不能に装着される。接触部は、ハンドル軸の基端側への移動が規制されて軸本体に装着される環状部材である。この場合には、軸本体と別の環状部材で接触部を構成できるので、釣り用リールの設計の自由度が高くなる。
【００１１】
発明５に係る釣り用リールは、発明２から４のいずれかに記載の釣り用リールにおいて、レバー部材は、固定姿勢にあるとき、ハンドルアームの外側面を接触部に向けて押圧し、解除姿勢にあるとき、押圧を解除する。この場合には、押圧及び押圧解除によってハンドルアームのハンドル軸への固定及び固定解除作を簡単に行える。
【００１２】
発明６に係る釣り用リールは、発明２から５のいずれかに記載の釣り用リールにおいて、係合部は、長孔に係合する互いに平行な一対の直線部と、一対の直線部の端部同士を連結する一対の連結部と、を有する非円形断面に形成される。この場合には、非円形断面の係合部によって、ハンドルアームの長孔をハンドル軸の係合部に簡素な構成で一体回転可能かつ長手方向移動可能に連結できる。
【００１３】
発明７に係る釣り用リールは、発明２から６のいずれかに記載の釣り用リールにおいて、レバー部材は、ハンドル軸と交差する方向の軸回りに装着部に揺動自在に装着される。レバー部材は、固定姿勢のときに、解除姿勢よりもハンドルアームに近づくカム面を有する。この場合には、レバー部材が解除姿勢と固定姿勢との間で揺動すると、カム面がハンドルアームに対して接近及び離反する。これにより、レバー部材の揺動軸芯とカム面との距離が変化し、カム面がハンドルアームをハンドル軸に向けて押圧できる。
【００１４】
発明８に係る釣り用リールは、発明７に記載の釣り用リールにおいて、カム面は、レバー部材の揺動軸芯に対して偏芯する位置を中心とする円弧面によって構成される。この場合には、カム面が揺動軸芯に対して偏芯した円弧面によって構成されるため、カム面の形成が容易である。
【００１５】
発明９に係る釣り用リールは、発明７又は８に記載の釣り用リールにおいて、ハンドル長さ調整機構は、カム面とハンドルアームの長孔の周囲の外側面との間に配置される弾性部材を有する。この場合には、カム面とハンドルアームとの間に、皿バネ等の弾性部材が配置されるので、レバー部材が解除姿勢にあってもハンドルアームががたつきにくい。
【００１６】
発明１０に係る釣り用リールは、発明２から９のいずれかに記載の釣り用リールにおいて、装着部は、軸支持部と、揺動軸と、を有する。軸支持部は、係合部の先端に一体形成される。揺動軸は、ハンドル軸の軸方向と交差する方向に沿って軸支持部に装着される。この場合には、揺動軸が係合部と一体形成される軸支持部に装着されるので、ハンドル長さ調整機構の構成が簡素になる。
【００１７】
発明１１に係る釣り用リールは、発明２から９のいずれかに記載の釣り用リールにおいて、装着部は、軸支持部と、揺動軸と、を有する。軸支持部は、係合部の先端面に螺合可能なネジ部を有する。揺動軸は、ハンドル軸の軸方向と交差する方向に沿って軸支持部に装着される。
【００１８】
この場合には、ネジ部を係合部の先端面に適宜の位置までねじ込んでからレバー部材を解除姿勢から固定姿勢に揺動させることによって、固定姿勢のときの押圧力を調整できる。
【００１９】
発明１２に係る釣り用リールは、発明２に記載の釣り用リールにおいて、装着部は、軸支持部と、揺動軸と、ケース部材と、を有する。軸支持部は、係合部の先端面に螺合可能なネジ部を有する。揺動軸は、ハンドル軸の軸方向と交差する方向に沿って軸支持部に装着される。ケース部材は、軸支持部をネジ部の軸方向に相対移動可能に覆いかつ揺動軸を回動自在に連結し、ハンドルアームの外側面に接触可能である。揺動軸は、ケース部材に連結する部分と偏芯したカム面を有する。軸支持部は、カム面に係合するカム受け孔を有する。レバー部材は、揺動軸に一体回動可能に連結される。
【００２０】
この場合には、レバー部材が解除姿勢から固定姿勢に揺動操作されると、揺動軸がレバー部材とともに回動する。揺動軸は、ケース部材に連結する部分と偏芯した位置にカム面を有し、軸支持部は、カム面に係合するカム受け孔を有しているため、揺動軸が回動すると、軸支持部をレバー部材に接近する方向に引き込むことができる。これにより、接触部とケース部材とによってハンドルアームをかたく挟持でき、ハンドルアームをハンドル軸に固定できる。ここでは、ケース部材に連結される揺動軸に偏芯するカム面を設け、揺動軸の回動によって軸支持部をハンドルアームに対して接近及び離反させことができる。これにより、接触部とケース部材とによってハンドルアームを挟持及び挟持解除してハンドルアームとハンドル軸とを固定及び固定解除可能なる。ここでは、ハンドルアームに対して摺動することなくハンドルアームを固定及び固定解除できるので、ハンドルアームが傷付きにくい。
【００２１】
発明１３に係る釣り用リールは、発明１から１２のいずれかに記載の釣り用リールにおいて、ハンドル軸がリール本体に回転自在に支持され、スプールがリール本体に回転自在に支持される両軸受リールである。この場合には、両軸受リールにおいて、上記作用効果を奏することができる。
【００２２】
発明１４に係る釣り用リールは、発明１から１２のいずれかに記載の釣り用リールにおいて、スプールがリール本体に前後移動自在に支持され、ハンドル軸がリール本体に回転自在に支持される駆動ギア軸に一体回転可能に連結されるスピニングリールである。この場合には、スピニングリールにおいて、上記作用効果を奏することができる。
【発明の効果】
【００２３】
本発明によれば、レバー部材を解除姿勢にすることによってハンドルアームを長孔の長手方向にハンドル軸に対して移動させることができ、移動した位置でレバー部材を固定姿勢にすることによってハンドルアームをハンドル軸に固定できる。このため、釣り用リールにおいて、工具を用いることなくハンドルアームの長さを容易に変更できるようになる。
【図面の簡単な説明】
【００２４】
【図１】本発明の第１実施形態による釣り用リールである両軸受リールの斜視図。
【図２】第１実施形態のハンドルアーム連結部分の分解斜視図。
【図３】ハンドルアーム連結部分の断面図。
【図４】第１実施形態の変形例の図３に相当する図。
【図５】第２実施形態の図２に相当する図。
【図６】第２実施形態の図３に相当する図。
【図７】第２実施形態の側面図。
【図８】本発明の第２実施形態による釣り用リールであるスピニングリールの側面図。
【図９】第３実施形態の図８の切断線IX−IXによる断面図。
【図１０】第３実施形態のハンドルアーム連結部分の斜視図。
【図１１】第３実施形態のハンドルアーム連結部分の横断面図。
【図１２】第３実施形態のハンドルアーム連結部分の縦断面図。
【発明を実施するための形態】
【００２５】
＜第１実施形態＞
図１において、本発明の第１実施形態による釣り用リールとしての両軸受リール１００は、リール本体１と、ハンドル組立体２と、スプール４と、ハンドル軸６（図２参照）と、レバー部材４２を有するハンドル長さ調整機構８と、を備えている。リール本体１は、フレーム２２と、フレーム２２のハンドル組立体２装着側を覆うカバー部材２４と、を有している。リール本体１は、ハンドル組立体２を回転自在に支持するとともに、スプール４を回転自在に支持する。
【００２６】
ハンドル組立体２は、ハンドルアーム２６と、ハンドル把手２８と、を有している。ハンドルアーム２６は、第１端２６ａから第２端２６ｂに向かう長手方向に沿って延び、第１端２６ａ側に長孔２６ｃを有する金属製の板状部材である。ハンドルアーム２６は、レバー部材４２に対向する外側面２６ｄと、外側面２６ｄと反対側の内側面２６ｅと、を有している。長孔２６ｃは、両端が円弧状に形成されたスリット形状である。ハンドル把手２８は、ハンドルアーム２６の第２端２６ｂ側に回転自在に支持される。外側面２６ｄにおいて、長孔２６ｃの周囲には、外側面２６ｄのその他の部分よりも面粗度があらい粗面部２６ｆが、例えば矩形状に形成されている。
【００２７】
スプール４は、糸巻用の部材である。スプール４は、リール本体１に回転自在に支持され、ハンドル組立体２の回転操作によって回転駆動される。
【００２８】
ハンドル軸６は、図２に示すように、先端部にハンドルアーム２６の長孔２６ｃに係合する係合部３０と、接触部３２と、を有する。係合部３０は、長孔２６ｃの長手方向へのハンドルアーム２６の移動を許容する形状である。具体的には、係合部３０は、長孔２６ｃに係合する互いに平行な一対の直線部３０ａと、一対の直線部３０ａの端部同士を連結する一対の連結部３０ｂと、を有する断面が非円形に形成される。接触部３２は、係合部３０の基端側にハンドル軸６の軸方向と直交して設けられている。接触部３２はハンドルアーム２６の内側面２６ｅに接触可能である。接触部３２は、第１実施形態では、係合部３０の外周部よりも径方向外方に突出する平坦な突出面３２ａを有する。接触部３２は、ハンドル長さ調整機構８がハンドルアーム２６の外側面２６ｄを押圧する力を受けるために設けられる。
【００２９】
ハンドル軸６には、図示しない駆動ギア及びドラグ機構のドラグ板などの部材が装着される。また、ドラグ力を調整するためのスタードラグ３（図１参照）が装着される。ハンドル軸６は、図示しないワンウェイクラッチによって糸巻取方向の回転が禁止される。ハンドル軸６の回転は、ドラグ機構を介して駆動ギアに伝達される。駆動ギアは、スプール４に一体回転可能に設けられたスプール軸に設けられるピニオンギアに回転を伝達し、ピニオンギアの回転がクラッチ機構を経由してスプール４に伝達される。
【００３０】
＜ハンドル長さ調整機構の構成＞
ハンドル長さ調整機構８は、ハンドルアーム２６の長手方向の長さＬ（例えば、ハンドル軸６の軸芯からハンドル把手２８の回転中心までの距離Ｌ）を調整するために設けられる。ハンドル長さ調整機構８は、ハンドルアーム２６をハンドル軸６に固定及び固定解除可能である。ハンドルアーム２６の固定を解除し、ハンドル軸６を長孔２６ｃ内でスライドさせた後にハンドルアーム２６を固定することによって、ハンドルアーム２６の長さＬを調整できる。ハンドル長さ調整機構８は、図２及び図３に示すように、係合部３０に設けられる装着部４０と、レバー部材４２と、を有する。また、ハンドル長さ調整機構８は、ワッシャ部材４４と、弾性部材４６と、シート部材４８、をさらに備えている。
【００３１】
装着部４０は、レバー部材４２を装着するために設けられる。装着部４０は、軸支持部５０と、軸支持部５０に装着される揺動軸５２と、を有している。軸支持部５０は、係合部３０の先端面に一体で形成される一つ山クレビスの形態である。軸支持部５０には、揺動軸５２が装着される貫通孔５０ａが形成される。貫通孔５０ａは、ハンドル軸６と交差（例えば直交）しかつ長孔２６ｃの形成方向と交差（例えば直交）する軸回りに揺動軸５２を装着するために設けられる。
【００３２】
揺動軸５２は、レバー部材４２を軸支持部５０に揺動自在に連結するために設けられる。揺動軸５２は、図２に示すように、大径の頭部５２ａと、軸支持部５０の貫通孔５０ａに嵌合する揺動支持部５２ｂと、レバー部材４２の雌ネジ部４２ｆに螺合する雄ネジ部５２ｃと、をこの順に有している。揺動軸５２は、レバー部材４２とともに回動する。揺動軸５２は、緩み止めのために、例えばレバー部材４２にかしめ固定される。
【００３３】
レバー部材４２は、図３に実線で示す固定姿勢と二点鎖線で示す解除姿勢とに揺動可能に装着部４０に装着されている。レバー部材４２は、固定姿勢にあるとき、ハンドルアーム２６を接触部３２に向けて押圧し、解除姿勢にあるとき、ハンドルアーム２６に対する押圧を解除する。レバー部材４２は、揺動軸５２に連結される連結部４２ａと、連結部４２ａから延びる揺動操作用のレバー部４２ｂと、を有している。連結部４２ａは、第１連結部４２ｃと、第１連結部４２ｃとの間に軸支持部５０が配置される第２連結部４２ｄと、を有している。第１連結部４２ｃには、揺動軸５２の頭部５２ａを収容可能に座繰りされた嵌合孔４２ｅが形成されている。嵌合孔４２ｅに揺動軸５２の揺動支持部５２ｂが嵌合する。また、第２連結部４２ｄには、揺動軸５２の先端に形成された雄ネジ部５２ｃが螺合する雌ネジ部４２ｆが形成されている。レバー部材４２は、ハンドル軸６と交差（例えば直交）する方向の軸回りに装着部４０に揺動自在に装着される。レバー部材４２は、固定姿勢のときに、解除姿勢のときよりもハンドルアーム２６に近づくカム面４２ｇを有している。第１実施形態では、カム面４２ｇは、揺動軸５２の中心である揺動軸芯Ｃ１までの距離が異なるように形成されている。カム面４２ｇは、第１連結部４２ｃ及び第２連結部４２ｄのハンドルアーム２６と接触可能な端面に形成されている。カム面４２ｇは、揺動軸芯Ｃ１に対して偏芯した位置を中心Ｃ２とする円弧面によって構成される。中心Ｃ２は、第１実施形態では、レバー部材４２が固定姿勢のとき、揺動軸芯Ｃ１よりもハンドルアーム２６に近くかつハンドルアーム２６の第１端２６ａ側に配置される。カム面４２ｇの形状は第１実施形態に限定されず、固定姿勢のときに、解除姿勢のときよりもハンドルアーム２６に近づく形状であればどのような形状でもよい。
【００３４】
ワッシャ部材４４は、レバー部材４２のカム面４２ｇに接触可能に配置される。ワッシャ部材４４は、長孔２６ｃの幅よりも大きい外径を有している。ワッシャ部材４４は、レバー部材４２の押圧力をハンドルアーム２６に可及的に均等に伝えるために設けられる。ワッシャ部材４４は、装着部４０が通過可能な例えば矩形の第１孔４４ａを中心に有している。
【００３５】
弾性部材４６は、ワッシャ部材４４とシート部材４８との間に配置される。弾性部材４６は、レバー部材４２による押圧力を滑らかに変化させるために設けられる。弾性部材４６は、第１実施形態では、例えば皿バネを用いている。弾性部材４６は、装着部４０が通過可能な例えば長円形の第２孔４６ａを中心に有している。弾性部材４６の外径は、ワッシャ部材４４の外径よりも大きい。
【００３６】
シート部材４８は、ハンドル長さを調整するとき等にハンドルアーム２６の外側面２６ｄが傷付くのを防止するために設けられている。とくに、ハンドルアーム２６がアルミニウム合金又はマグネシウム合金等の陽極酸化被膜が表面に形成されている場合、陽極酸化被膜の傷付きを防止できる。シート部材４８は、例えば、ポリアセタール、ポリアミド樹脂、４フッ化エチレン樹脂等の合成樹脂製の部材である。シート部材４８の外径は、弾性部材４６の外径よりも大きい。シート部材４８は、装着部４０が通過可能な例えば矩形の第３孔４８ａを中心に有している。
【００３７】
＜ハンドル長さ調整操作＞
ハンドル長さ調整機構８によってハンドル長さＬを変更する場合、レバー部材４２のレバー部４２ｂを引き上げて、レバー部材４２を固定姿勢から解除姿勢に揺動させる。すると、揺動中心Ｃ１からカム面４２ｇまでの距離が徐々に小さくなり、弾性部材４６の付勢力が弱くなる。レバー部材４２が図３二点鎖線で示す解除姿勢に操作されると、弾性部材４６が図２に二点鎖線で示すように、実質的に自由高さとなって押圧力が実質的に消滅する。これにより、ハンドルアーム２６の固定が解除され、ハンドルアーム２６の長手方向の位置を任意の変更できる。所望の位置にハンドルアーム２６を移動させると、この状態でレバー部材４２を解除姿勢から固定姿勢に揺動させる。すると、カム面４２ｇがハンドルアーム２６に近づき、レバー部材４２によってハンドルアーム２６が接触部３２に向けて押圧される。このとき、弾性部材４６の作用によって押圧力が徐々に大きくなる。レバー部材４２が固定姿勢になると、揺動軸芯Ｃ１からカム面４２ｇまでの距離が最大になり、押圧力が最大となる。固定姿勢のとき、レバー部４２ｂがハンドルアーム２６と実質的に平行に配置される。このため、釣り糸がレバー部材４２に引っ掛かりにくくなる。
【００３８】
ここでは、レバー部材４２を解除姿勢にすることによってハンドルアーム２６を長孔２６ｃの長手方向にハンドル軸６に対して移動させることができ、移動した位置でレバー部材４２を固定姿勢にすることによってハンドルアーム２６をハンドル軸６に固定できる。このため、両軸受リール等の釣り用リールにおいて、工具を用いることなくハンドルアーム２６の長さＬを容易に変更できるようになる。
【００３９】
＜第１実施形板の変形例＞
第１実施形態では、装着部４０の軸支持部５０をハンドル軸６と一体形成したが、本発明はこれに限定されない。
【００４０】
図４において、両軸受リール１００のハンドル長さ調整機構１０８の装着部１４０を構成する軸支持部１５０は、ハンドル軸１０６の係合部１３０の先端面に着脱可能に装着される。係合部１３０の先端面には、雌ネジ部１０６ａが形成されている。
【００４１】
装着部１４０は、軸支持部１５０と、揺動軸５２と、を有している。軸支持部１５０は、貫通孔１５０ａを有し、第１実施形態の軸支持部５０と同様な一つ山クレビスの形状の本体部１５０ｂと、雌ネジ部１０６ａに螺合するネジ部１５０ｃを有している。ネジ部１５０ｃは、本体部１５０ｂと一体形成されている。しかし、ネジ部は、本体部と別体で設けられてもよい。
【００４２】
このような構成の変形例のハンドル長さ調整機構１０８では、ネジ部１５０ｃを係合部３０の先端面に形成された雌ネジ部１０６ａに適宜の位置までねじ込んでからレバー部材４２を解除姿勢から固定姿勢に揺動させる。これにより、固定姿勢のときの押圧力を調整できる。
【００４３】
＜第２実施形態＞
図５および図６において、第２実施形態によるハンドル長さ調整機構２０８は、第１実施形態と同様に、ハンドルアーム２６の固定を解除し、ハンドル軸２０６を長孔２６ｃ内でスライドさせた後にハンドルアーム２６を固定することによって、ハンドルアーム２６の長さＬを調整できる。
【００４４】
ハンドル軸２０６は、先端部にハンドルアーム２６の長孔２６ｃに係合する係合部２３０を有する軸本体２０６ｂと、軸本体２０６ｂに装着された接触部２３２と、を有する。係合部２３０は、第１実施形態と同様な非円形断面を有する形状である。係合部２３０は、長孔２２６ｃの長手方向へのハンドルアーム２６の移動を許容する形状である。係合部２３０の先端面には、装着部２４０が着脱自在に装着される雌ネジ部２０６ａが形成されている。
【００４５】
接触部２３２は、第１実施形態と異なり、軸本体２０６ｂの環状溝２０６ｃに装着された止め輪２３１によってハンドル軸２０６の基端側（図６下側）への移動が規制されて装着された環状部材である。接触部２３２はハンドルアーム２６の内側面２６ｅに接触可能である。接触部２３２は、ハンドル長さ調整機構２０８がハンドルアーム２６の外側面２６ｄを押圧する力を受けるために設けられる。
【００４６】
ハンドル長さ調整機構２０８は、係合部２３０に着脱自在に装着される装着部２４０と、レバー部材２４２と、を有する。
【００４７】
装着部２４０は、レバー部材２４２を装着するために設けられる。装着部２４０は、軸支持部２５０と、揺動軸２５２と、頭部２５４ａ及び頭部２５４ａよりも小径のネジ軸部２５４ｂを有するネジ部材２５４と、を有する。軸支持部２５０は、長孔２６ｃに係合し、長孔２６ｃにより長手方向に移動自在に案内される案内突起２５０ａと、案内突起２５０ａよりも長孔２６ｃの形成方向と交差する方向に突出して粗面部２６ｆに配置される配置部２５０ｂと、を有する。また、軸支持部２５０は、揺動軸２５２が配置される軸配置部２５０ｃと、レバー部材２４２の後述するカム面２４２ｇが接触するカム受け部２５０ｄと、ネジ部材２５４のネジ軸部２５４ｂが貫通可能な貫通孔２５０ｅと、ハンドル軸２０６の係合部２３０が嵌合する嵌合部２５０ｆ（図６参照）と、を有する。軸配置部２５０ｃは、半円形に形成される。貫通孔２５０ｅは、軸配置部２５０ｃに案内突起２５０ａに向けて貫通して形成される。嵌合部２５０ｆは、係合部２３０が嵌合可能に長円形に凹んで形成される。
【００４８】
揺動軸２５２は、レバー部材２４２を軸支持部２５０に揺動自在に連結するために設けられる。揺動軸２５２は、軸支持部２５０の軸配置部２５０ｂの両側に突出可能な軸方向長さを有する。この突出した両端にレバー部材２４２が揺動自在に装着される。揺動軸２５２は、ネジ部材２５４の頭部２５４ａが配置される頭部配置部２５２ａと、ネジ部材２５４のネジ軸部２５４ｂが貫通するネジ貫通孔２５２ｂと、を有する。頭部配置部２５２ａは、ネジ部材２５４の頭部２５４ａを配置可能に外周面から凹んで形成される。ネジ貫通孔２５２ｂは、軸支持部２５０の貫通孔２５０ｅと同芯に配置される。ネジ部材２５４の頭部２５４ａと頭部配置部２５２ａとの間には、皿バネ２４８が配置される。皿バネ２４８は、ネジ部材２５４を緩み止めするために設けられる。ネジ部材２５４のネジ軸部２５４ｂは、ハンドル軸２０６の雌ネジ部２０６ａに螺合する。これにより、揺動軸２５２が軸支持部２５０に固定される。
【００４９】
レバー部材２４２は、図７に実線で示す固定姿勢と二点鎖線で示す解除姿勢とに揺動可能に装着部２４０に装着されている。レバー部材２４２は、固定姿勢にあるとき、ハンドルアーム２６を接触部２３２に向けて押圧し、解除姿勢にあるとき、ハンドルアーム２６に対する押圧を解除する。レバー部材２４２は、図５から図７に示すように、揺動軸２５２に連結される一対の連結部２４２ａと、一対の連結部２４２ａから延びる揺動操作用のレバー部２４２ｂと、を有している。一対の連結部２４２ａは、揺動軸２５２を挿入可能な挿入孔２４２ｃを有しており、挿入孔２４２ｃに軸配置部２５０ｃから突出した揺動軸２５２の両端が挿入される。これにより、レバー部材２４２は、ハンドル軸２０６と交差（例えば直交）する方向の軸回りに装着部２４０に揺動自在に装着される。レバー部材２４２は、固定姿勢のときに、解除姿勢のときよりもハンドルアーム２２６に近づくカム面２４２ｇを有している。第１実施形態では、カム面２４２ｇは、揺動軸２５２の中心である揺動軸芯Ｃ１までの距離が異なるように形成されている。カム面２４２ｇは、一対の連結部２４２ａのハンドルアーム２６と接触可能な外周面に形成されている。カム面２４２ｇには、固定姿勢に対応して平坦面２４２ｈが形成される。平坦面２４２ｈの長さは、２ｍｍから５ｍｍ程度が好ましい。
【００５０】
このような構成のハンドル長さ調整機構２０８では、カム面２４２ｇに平坦面２４２ｈを形成することにより、固定姿勢ががたつきにくくなり、固定姿勢にあることが釣り人にわかりやすくなるとともに、固定姿勢が安定する。
【００５１】
また、軸支持部２５０が長孔２６ｃに係合するので、レバー部材２４２が常にハンドルアーム２６が長手方向を向くようになる。さらに、挿入孔２４２ｃに挿入される揺動軸２５２の両端が円形であるので、挿入孔２４２ｃに隙間が生じなくなり、外観を向上させることができるとともに、異物が挿入孔２４２ｃに付着しにくくなる。
【００５２】
＜ハンドル長さ調整操作＞
ハンドル長さ調整機構２０８によってハンドル長さＬを変更する場合、レバー部材２４２のレバー部２４２ｂを引き上げて、レバー部材４２を固定姿勢から解除姿勢に揺動させる。このとき、一対の連結部２４ａの間でレバー部２４２ｂがネジ部材２５４の頭部２５４ａに接触して解除姿勢に位置決めされる。すると、揺動中心Ｃ１からカム面２４２ｇまでの距離が徐々に小さくなり、皿バネ２４８による付勢力が弱くなり、ハンドルアーム２６の長手方向の位置を任意の変更できる。所望の位置にハンドルアーム２６を移動させると、この状態でレバー部材２４２を解除姿勢から固定姿勢に揺動させる。すると、カム面２４２ｇがカム受け部２５０ｄに近づき、カム受け部２５０ｄを押圧し、配置部２５０ｂによってハンドルアーム２６が接触部２３２に向けて押圧される。このとき、皿バネ２４８の作用によって押圧力が徐々に大きくなる。レバー部材２４２が固定姿勢になると、揺動軸芯Ｃ１からカム面２４２ｇまでの距離が最大になり、押圧力が最大となる。固定姿勢のとき、レバー部２４２ｂがハンドルアーム２６と実質的に平行に配置される。このため、釣り糸がレバー部材４２に引っ掛かりにくくなる。また、固定姿勢のとき、カム面２４２ｇの平坦面２４２ｈがレバー部２４２ｂに接触するので、レバー部材２４２が固定姿勢から解除姿勢側に揺動しにくくなる。
【００５３】
第２実施形態でも、第１実施形態と同様に、レバー部材２４２を解除姿勢にすることによってハンドルアーム２６を長孔２６ｃの長手方向にハンドル軸６に対して移動させることができ、移動した位置でレバー部材２４２を固定姿勢にすることによってハンドルアーム２６をハンドル軸６に固定できる。このため、両軸受リール等の釣り用リールにおいて、工具を用いることなくハンドルアーム２６の長さＬを容易に変更できるようになる  ＜第３実施形態＞
第１及び第２実施形態では、釣り用リールとして両軸受リールを開示したが、第３実施形態では、釣り用リールとしてスピニングリールを開示する。
【００５４】
図８において、本発明の第３実施形態による釣り用リールとしてのスピニングリール３００は、リール本体３０１と、ハンドル組立体３０２と、ロータ３０３と、スプール３０４と、ハンドル軸３０６（図９参照）と、レバー部材３４２を有するハンドル長さ調整機構３０８と、を備えている。
【００５５】
リール本体３０１は、図８及び図９に示すように、開口する機構装着空間３０１ｄを有する筐体部３０１ａと、筐体部３０１ａの開口を塞ぐ蓋部材３０１ｂと、有している。リール本体３０１は、ハンドル組立体３０２を回転自在に支持するとともに、スプール３０４を前後に往復移動自在に支持する。またリール本体３０１は、ロータ３０３を回転自在に支持する。
【００５６】
ハンドル組立体３０２は、図８に示すように、ハンドル軸３０６に固定及び固定解除されるハンドルアーム３２６と、ハンドル把手３２８と、を有している。図８及び図９に示すように、ハンドルアーム３２６は、第１端３２６ａから第２端３２６ｂに向かう長手方向に沿って延び、第１端３２６ａ側に長孔３２６ｃを有する金属製の板状部材である。ハンドルアーム３２６は、レバー部材３４２に対向する外側面３２６ｄと、外側面３２６ｄと反対側の内側面３２６ｅ（図９参照）と、を有している。長孔３２６ｃは、両端が円弧状に形成されたスリット形状である。ハンドルアーム３２６は、駆動ギア軸３１０に一体回転可能に連結されたハンドル軸３０６に固定及び固定解除される。駆動ギア軸３１０は、筐体部３０１ａ及び蓋部材３０１ｂに両端が回転自在に支持される。ハンドル把手３２８は、ハンドルアーム３２６の第２端３２６ｂ側に回転自在に支持される。
【００５７】
ロータ３０３は、スプール３０４に釣り糸を巻き付けるために設けられる。ロータ３０３は、リール本体に回転自在に支持され、ハンドル組立体３０２の回転操作によって回転駆動される。スプール３０４は、糸巻用の部材である。スプール３０４は、リール本体３０１に回転自在に支持され、ハンドル組立体３０２の回転操作によって前後に往復駆動される。
【００５８】
ハンドル軸３０６は、図８に示すように、駆動ギア軸３１０に一体回転可能に連結される。第３実施形態では、ハンドル軸３０６は、駆動ギア軸３１０にねじ込み固定されている。ハンドル軸の駆動ギア軸への連結構造はねじ込みに限定されず、例えば、駆動ギア軸に四角形又は六角形によって非円形係合してハンドル軸が駆動ギア軸に一体回転可能に連結されてもよい。
【００５９】
ハンドル軸３０６は、図９に示すように、先端部にハンドルアーム３２６の長孔３２６ｃに係合する係合部３３０を有する軸本体３０６ｂと、軸本体３０６ｂに装着された接触部３３２と、を有する。係合部３３０は、第１実施形態の係合部３０と同様な非円形断面を有する形状であり、長孔３２６ｃの長手方向へのハンドルアーム３２６の移動を許容する形状である。係合部３３０の先端面には、装着部３４０が着脱自在に装着される雌ネジ部３０６ａが形成されている。
【００６０】
接触部３３２は、第１実施形態と異なり、軸本体３０６ｂに止め輪３３１によってハンドル軸３０６の基端側（図９下側）への移動が規制されて装着された環状部材である。接触部３３２はハンドルアーム２６の内側面３２６ｅに接触可能である。接触部３３２は、ハンドル長さ調整機構３０８がハンドルアーム３２６の外側面３２６ｄを押圧する力を受けるために設けられる。
【００６１】
＜ハンドル長さ調整機構の構成＞
ハンドル長さ調整機構３０８は、ハンドルアーム３２６の長手方向の長さを調整するために設けられる。ハンドル長さ調整機構３０８は、ハンドルアーム３２６をハンドル軸３０６に固定及び固定解除可能である。ハンドル長さ調整機構３０８は、ハンドルアーム３２６の固定を解除し、ハンドル軸３０６を長孔３２６ｃ内でスライドさせた後にハンドルアーム３２６を固定することによって、ハンドルアーム３２６の長さを調整できる。ハンドル長さ調整機構３０８は、図１０、図１１及び図１２に示すように、係合部３３０に設けられる装着部３４０と、レバー部材３４２と、を有する。
【００６２】
装着部３４０は、レバー部材３４２を装着するために設けられる。装着部３４０は、軸支持部３５０と、軸支持部３５０に装着される揺動軸３５２と、軸支持部３５０に案内される有底筒状のケース部材３５４と、を有している。軸支持部３５０は、揺動軸３５２のカム面３５２ｃに係合するカム受け孔３５０ａを有する本体部３５０ｂと、雌ネジ部３０６ａに螺合するネジ部３５０ｃと、を有している。本体部３５０ｂは、カム受け孔３５０ａに加えてさらにケース部材３５４の内周部に接触する外周部３５０ｄを有する。これにより、ケース部材３５４と軸支持部３５０とがハンドルアーム３２６に接近・離反する方向に相対移動可能である。本体部３５０ｂは、一つ山クレビスの形態である。カム受け孔３５０ａは、軸支持部３５０に対してケース部材３５４をハンドルアーム３２６の外側面３２６ｄに接近及び離反させるために設けられる。カム受け孔３５０ａは、図１１に示すように、揺動軸３５２のカム面３５２ｃによって軸支持部３５０とケース部材３５４とをハンドル軸３０６の軸方向に相対移動させるために僅かに横長の長円形断面に形成される。そなわち、レバー部材３４２が後述する固定姿勢にあるとき、図１２に示すように、カム受け孔３５０ａの長軸がハンドルアーム３２６に沿って配置され、レバー部材３４２が後述する解除姿勢にあるとき、長軸がハンドルアーム３２６と交差する方向に配置される。ケース部材３５４とハンドルアーム３２６との間には、第１実施形態と同様に傷付き防止のための合成樹脂製のシート部材４８が配置されている。
【００６３】
第１実施形態では、レバー部材４２にカム面４２ｇが設けられていたが、第３実施形態では、揺動軸３５２にカム面３５２ｃが設けられる。揺動軸３５２は、図１１及び図１２に示すように、レバー部材３４２と一体で回動する。揺動軸３５２は、ケース部材３５４に揺動可能に装着される大径の第１支持部３５２ａと小径の第２支持部３５２ｂと、第１支持部３５２ａと第２支持部３５２ｂとの間に配置されるカム面３５２ｃと、レバー部材取付部３５２ｄと、ナット取付部３５２ｅと、を有している。第１支持部３５２ａは、ケース部材３５４に回動自在に支持される。第２支持部３５２ｂは、第１支持部３５２ａよりも小径であり、ケース部材３５４に装着されたブッシュ３５６に回動自在に支持される。第１支持部３５２ａ及び第２支持部３５２ｂは、ケース部材３５４の中心を通る軸芯Ｃ３を中心とする円周面によって構成される。カム面３５２ｃは、揺動軸芯Ｃ３に対して偏芯した軸芯Ｃ４を中心とする円周面によって構成される。レバー部材取付部３５２ｄには、例えばスプラインが形成されレバー部材３４２が一体で回動可能に連結されている。ナット取付部３５２ｅにはレバー部材３４２を固定するためのナット３５８がねじ込まれる。
【００６４】
レバー部材３４２は、図８に示す固定姿勢と図１０に示す解除姿勢とに揺動可能に装着部３４０に装着されている。レバー部材３４２は、固定姿勢にあるとき、カム面３５２ｃが軸支持部３５０を引き込み、ケース部材３５４がハンドルアーム３２６を接触部３３２に向けて押圧する。解除姿勢にあるとき、カム面３５２ｃによる軸支持部３５０の引き込み動作が解除され、ケース部材３５４のハンドルアーム３２６に対する押圧を解除する。レバー部材３４２は、揺動軸３５２のレバー部材取付部３５２ｄに一体回動可能に連結される連結部３４２ａと、連結部３４２ａから延びる揺動操作用のレバー部３４２ｂと、を有している。連結部３４２ａは、レバー部材取付部３４２ｄに係合するスプライン凹部を有している。レバー部材３４２は、ナット３５８によって揺動軸３５２に固定される。
【００６５】
＜ハンドル長さ調整操作＞
第３実施形態によるハンドル長さ調整機構３０８によってハンドル長さを変更する場合、レバー部材３４２のレバー部３４２ｂを引き上げて、レバー部材３４２を、図１２に実線で示す固定姿勢から二点鎖線に示す解除姿勢に揺動させる。すると、偏芯したカム面３５２ｃが軸支持部３５０を図１２上方に引き込む。これにより、ハンドルアーム３２６が接触部３３２とケース部材３５４との間にきつく挟まれてハンドル軸３０６にハンドルアーム３２６が固定される。レバー部材３４２が解除姿勢に操作されると、軸支持部３５０の引き込みが解除され、ハンドルアーム３２６の長手方向の位置を任意の変更できる。所望の位置にハンドルアーム３２６を移動させると、この状態でレバー部材３４２を解除姿勢から固定姿勢に揺動させる。すると、解除姿勢のときよりもカム面３５２ｃがハンドルアーム３２６から離反し、軸支持部３５０が引きこまれる。これによって前述したようにハンドルアーム３２６が固定される。固定姿勢のとき、レバー部３４２ｂがハンドルアーム３２６と実質的に平行に配置される。このため、釣り糸がレバー部材３４２に引っ掛かりにくくなる。
【００６６】
第３実施形態においても、レバー部材３４２を解除姿勢にすることによってハンドルアーム３２６を接触部３３２とケース部材３５４とで挟持でき、レバー部材３４２を固定姿勢にすることによってハンドルアーム３２６をハンドル軸３０６に固定できる。このため、スピニングリールにおいて、工具を用いることなくハンドルアーム３２６の長さを容易に変更できるようになる。
【００６７】
＜特徴＞
上記実施形態は、下記のように表現可能である。なお、以降の説明において、第１実施形態と第２実施形態との両方に適用可能な場合は、第１実施形態の符号のみを付す。
【００６８】
（Ａ）釣り用リール（例えば両軸受リール１００）は、リール本体１と、スプール４と、ハンドル組立体２と、ハンドル軸６と、ハンドル長さ調整機構８と、を備えている。スプール４は、リール本体１に回転可能に設けられる。ハンドル組立体２は、ハンドルアーム２６と、ハンドル把手２８と、を有する。ハンドルアーム２６は、第１端２６ａから第２端２６ｂに向かって長手方向に延び、第１端２６ａ側に長孔２６ｃを有する。ハンドル把手は、ハンドルアームの第２端２６ｂ側に回転自在に装着される。ハンドル軸６は、リール本体１に対して回転可能であり、長孔に一体回転可能に係合し、長孔の長手方向へのハンドルアームの移動を許容する係合部３０を先端部に有する。ハンドル長さ調整機構８は、ハンドルアーム２６をハンドル軸６に固定及び固定解除可能である。ハンドル長さ調整機構８は、装着部４０と、レバー部材４２と、を有する。装着部４０は、係合部３０に設けられる。レバー部材４２は、ハンドルアーム２６をハンドル軸６に固定する固定姿勢と、固定姿勢から揺動してハンドル軸６への固定を解除する解除姿勢とに揺動可能に装着部４０に設けられる。
【００６９】
この釣り用リールでは、ハンドルアーム２６に設けられる長孔２６ｃにハンドル軸６の係合部３０が一体回転可能に係合する。係合部３０は長孔２６ｃの長手方向に移動可能である。この係合部３０に設けられるハンドル長さ調整機構８によって、ハンドルアーム２６をハンドル軸６に固定及び固定解除できる。ここでは、レバー部材４２を解除姿勢にすることによってハンドルアーム２６を長孔の長手方向にハンドル軸６に対して移動させることができ、移動した位置でレバー部材４２を固定姿勢にすることによってハンドルアーム２６をハンドル軸６に固定できる。このため、釣り用リールにおいて、工具を用いることなくハンドルアーム２６の長さＬを容易に変更できるようになる。しかも、長孔２６ｃ内の任意の位置でハンドルアーム２６を固定できるので、ハンドルアーム２６の長さを段階的ではなく連続的に変更できる。
【００７０】
（Ｂ）釣り用リール（例えば両軸受リール１００）において、ハンドルアーム２６は、レバー部材４２に対向する外側面２６ｄと、外側面２６ｄと反対側の内側面２６ｅと、を有する。ハンドル軸６には、内側面２６ｅに接触可能な接触部３２が設けられる。この場合には、ハンドルアーム２６の内側面２６ｅが接触部３２に接触及び離反することによって、ハンドルアームをハンドル軸に固定及び固定解除できる。
【００７１】
（Ｃ）釣り用リール（例えば両軸受リール１００）において、接触部３２は、ハンドル軸６に一体で設けられ、係合部３０よりも径方向外方に突出する突出面３２ａを有する。この場合には、ハンドル軸６に一体で設けられた突出面３２ａによって、ハンドルアーム２６のハンドル軸６の基端側への移動を規制できるので、釣り用リールの構成が簡素になる。
【００７２】
（Ｄ）釣り用リール（例えばスピニングリール３００）において、ハンドル軸３０６は、係合部３３０を有する軸本体３０６ｂを有する。接触部３３２は、軸本体３０６ｂに軸方向移動不能に装着される。接触部３３２は、ハンドル軸３０６の基端側への移動が規制されて軸本体３０６ｂに装着される環状部材である。この場合には、軸本体３０６ｂと別の環状部材で接触部３３２を構成できるので、釣り用リールの設計の自由度が高くなる。
【００７３】
（Ｅ）釣り用リール（例えば両軸受リール１００）において、レバー部材４２は、固定姿勢にあるとき、ハンドルアーム２６の外側面２６ｄを接触部３２に向けて押圧し、解除姿勢にあるとき、押圧を解除する。この場合には、押圧及び押圧解除によってハンドルアーム２６のハンドル軸６への固定及び固定解除作を簡単に行える。
【００７４】
（Ｆ）釣り用リール（例えば両軸受リール１００）において、係合部３０は、長孔２６ｃに係合する互いに平行な一対の直線部３０ａと、一対の直線部３０ａの端部同士を連結する一対の連結部３０ｂと、を有する非円形断面に形成される。この場合には、非円形断面の係合部３０によって、ハンドルアーム２６の長孔２６ｃをハンドル軸６の係合部３０に簡素な構成で一体回転可能かつ長手方向移動可能に連結できる。
【００７５】
（Ｇ）釣り用リール（例えば両軸受リール１００）において、レバー部材４２は、ハンドル軸６と交差する方向の軸回りに装着部４０に揺動自在に装着される。レバー部材４２は、固定姿勢のときに、解除姿勢よりもハンドルアーム２６に近づくカム面４２ｇを有する。この場合には、レバー部材４２が解除姿勢と固定姿勢との間で揺動すると、カム面４２ｇがハンドルアーム２６に対して接近及び離反する。これにより、レバー部材４２の揺動軸芯Ｃ１とカム面４２ｇとの距離が変化し、カム面４２ｇがハンドルアーム２６をハンドル軸６に向けて押圧できる。
【００７６】
（Ｈ）釣り用リール（例えば両軸受リール１００）において、カム面４２ｇは、レバー部材４２の揺動軸芯Ｃ１に対して偏芯する位置を中心Ｃ２とする円弧面によって構成される。この場合には、カム面４２ｇがレバー部材４２の揺動軸芯Ｃ１に対して偏芯した円弧面によって構成されるため、カム面４２ｇの形成が容易である。
【００７７】
（Ｉ）釣り用リール（例えば両軸受リール１００）において、ハンドル長さ調整機構８は、カム面４２ｇとハンドルアーム２６の長孔２６ｃの周囲の外側面２６ｄとの間に配置される弾性部材４６を有する。この場合には、カム面４２ｇとハンドルアーム２６との間に、皿バネ等の弾性部材４６が配置されるので、レバー部材４２が解除姿勢にあってもハンドルアーム２６ががたつきにくい。
【００７８】
（Ｊ）釣り用リール（例えば両軸受リール１００）において、装着部４０は、軸支持部５０と、揺動軸５２と、を有する。軸支持部５０は、係合部３０の先端に一体形成される。揺動軸５２は、ハンドル軸６の軸方向と交差する方向に沿って軸支持部５０に装着される。この場合には、揺動軸５２が係合部３０と一体形成される軸支持部５０に装着されるので、ハンドル長さ調整機構８の構成が簡素になる。
【００７９】
（Ｋ）釣り用リール（例えば両軸受リール１００）において、装着部１４０は、軸支持部１５０と、揺動軸５２と、を有する。軸支持部１５０は、係合部１３０の先端面に螺合可能なネジ部１５０ｃを有する。揺動軸５２は、ハンドル軸１０６の軸方向と交差する方向に沿って軸支持部１５０に装着される。
【００８０】
この場合には、ネジ部１５０ｃを係合部１３０の先端面に適宜の位置までねじ込んでからレバー部材４２を解除姿勢から固定姿勢に揺動させることによって、固定姿勢のときの押圧力を調整できる。
【００８１】
（Ｌ）釣り用リール（スピニングリール３００）において装着部３４０は、軸支持部３５０と、揺動軸３５２と、ケース部材３５４と、を有する。軸支持部３５０は、係合部３３０の先端面に螺合可能なネジ部３５０ｃを有する。揺動軸３５２は、ハンドル軸３０６の軸方向と交差する方向に沿って軸支持部３５０に装着される。ケース部材３５４は、軸支持部３５０をネジ部３５０ｃの軸方向に相対移動可能に覆いかつ揺動軸３５２を回動自在に連結し、ハンドルアーム３２６の外側面３２６ｄに接触可能である。揺動軸３５２は、ケース部材３５４に連結する部分に対して偏芯したカム面３５２ｃを有する。軸支持部３５０は、カム面３５２ｃに係合するカム受け孔３５０ａを有する。レバー部材３４２は、揺動軸３５２に一体回動可能に連結される。
【００８２】
この場合には、レバー部材３４２が解除姿勢から固定姿勢に揺動操作されると、揺動軸３５２がレバー部材３４２とともに回動する。揺動軸３５２は、ケース部材３５４に連結する部分と偏芯した位置にカム面３５２ｃを有し、軸支持部３５０は、カム面３５２ｃに係合するカム受け孔３５０ａを有しているため、揺動軸３５２が回動すると、軸支持部３５０をレバー部材３４２に接近する方向に引き込むことができる。これにより、接触部３３２とケース部材３５４とによって、ハンドルアーム３２６をかたく挟持でき、ハンドルアーム３２６をハンドル軸３０６に固定できる。ここでは、ケース部材３５４に連結される揺動軸３５２に偏芯するカム面３５２ｃを設け、揺動軸３５２の回動によって軸支持部３５０をハンドルアーム３２６に対して接近及び離反させことができる。これにより接触部３３２とケース部材３５４とによってハンドルアーム３２６を挟持及び挟持解除してハンドルアーム３２６とハンドル軸３０６とを固定及び固定解除可能なる。ここでは、ハンドルアーム３２６に対して摺動することなくハンドルアーム３２６を固定及び固定解除できるので、ハンドルアーム３２６が傷付きにくい。
【００８３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００８４】
（ａ）前記実施形態では、釣り用リールとして両軸受リール及びスピニングリールを例に本発明を説明したが、本発明はこれに限定されない。例えば、スピンキャストリール、電動リール等のハンドル組立体を有する全ての釣り用リールに本発明を適用できる。
【００８５】
（ｂ）前記第２実施形態のスピニングリールの場合、ハンドル軸が駆動ギア軸に一体回転可能に連結されているが、本発明はこれに限定されない。駆動ギア軸が一体でもうけられるハンドル軸にも本発明を適用できる。
【００８６】
（ｃ）前記２つの実施形態では、接触部が平坦な平面で構成されているが、本発明はこれに限定されない。接触面及びハンドルアームの内側面の接触部に接触する部分の少なくともいずれかに細かな凹凸を形成し、摩擦力を増加させてもよい。また、接触部及び内側面の少なくともいずれかに摩擦力を増加させる部材を接着等の定義の固定手段によって固定してもよい。さらに、接触部及び内側面に互いに係合する凹凸を設けてもよい。
【００８７】
（ｄ）前記第１実施形態では、ハンドル長さ調整機構８にワッシャ部材４４と、弾性部材４６と、シート部材４８と、を設けたが、これらを設けなくてもよい。また、弾性部材４６として皿バネを用いたが、弾性部材４６は、皿バネに限定されず、ゴム等の弾性体、コイルバネ等のバネ部材あってもよい。
【符号の説明】
【００８８】
１，２１０    リール本体
２，２０２    ハンドル組立体
４，２０４    スプール
６，１０６，２０６，３０６    ハンドル軸
８，１０８，２０８，３０８    ハンドル長さ調整機構
２６，３２６    ハンドルアーム
２６ａ，３２６ａ  第１端
２６ｂ，３２６ｂ  第２端
２６ｃ，３２６ｃ  長孔
２６ｄ，３２６ｄ  外側面
２６ｅ，３２６ｅ  内側面
２８，３２８    ハンドル把手
３０，１３０，２３０，３３０    係合部
３０ａ  直線部
３０ｂ  連結部
３２，２３２    接触部
３２ａ  突出面
４０    装着部
４２，２４２，３２４    レバー部材
４２ｇ，２４２ｇ，３５２ｃ  カム面
４６    弾性部材
５０，１５０，２５０，３５０    軸支持部
５０ａ，１５０ａ  貫通孔
５２，２５２，３５２    揺動軸
１００    両軸受リール
１５０ｂ  本体部
１５０ｃ  ネジ部
３００    スピニングリール
２０６ｂ，３０６ｂ  軸本体
２５４    ケース部材
【図１】
2014050327.tif 000003
【図２】
2014050327.tif 000004
【図３】
2014050327.tif 000005
【図４】
2014050327.tif 000006
【図５】
2014050327.tif 000007
【図６】
2014050327.tif 000008
【図７】
2014050327.tif 000009
【図８】
2014050327.tif 000010
【図９】
2014050327.tif 000011
【図１０】
2014050327.tif 000012
【図１１】
2014050327.tif 000013
【図１２】
2014050327.tif 000014